【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
無線電力伝送システムであり、
第１周波数でソース磁場を生成して、電力を無線受電装置に伝送するように構成される無線電力伝送源と、
第２周波数で補助磁場を生成するように構成される補助磁場源と、
前記補助磁場源が生成する前記補助磁場の摂動に応答して、電気信号を生成するように構成される少なくとも１つの検出器と、
前記電気信号に基づいて前記無線電力伝送システム周囲に異物デブリが存在するか判定するように構成されるコントローラと、を備える無線電力伝送システム。
【請求項２】
前記補助磁場源は、少なくとも１つの補助コイルと少なくとも１つの増幅器とを備える、請求項１に記載の無線電力伝送システム。
【請求項３】
前記第１周波数は前記第２周波数と等しい、請求項１に記載の無線電力伝送システム。
【請求項４】
前記第１周波数は前記第２周波数と異なる、請求項１に記載の無線電力伝送システム。
【請求項５】
前記無線電力伝送源に結合されるとともに、給電して前記無線電力伝送源を駆動するように構成される電源を更に備え、
前記補助磁場源が補助磁場を生成しているときに、前記電源がオフになる、請求項１に記載の無線電力伝送システム。
【請求項６】
前記補助磁場源が、最大４つまでの補助コイルと、最大４つまでの増幅器とを備える、請求項１に記載の無線電力伝送システム。
【請求項７】
前記無線電力伝送源が、第１領域上に巻き付けられたソース共振器コイルを備え、
前記少なくとも１つの補助コイルが、前記第１領域上に巻き付けられるように構成される、請求項２に記載の無線電力伝送システム。
【請求項８】
前記少なくとも１つの補助コイルが、直列に接続された２セットの導体巻線を備え、
前記２セットの導体巻線のそれぞれが、第２領域及び第３領域の一方上に巻き付けられる、請求項７に記載の無線電力伝送システム。
【請求項９】
前記第２領域の面積及び第３領域の面積の合計が実質的に、前記第１領域の面積と等しい、請求項８に記載の無線電力伝送システム。
【請求項１０】
前記少なくとも１つの補助コイルが、直列に接続された４セットの導体巻線を備え、
前記４セットの導体巻線がそれぞれ、第２領域、第３領域、第４領域及び第５領域の１つの上に巻き付けられる、請求項７に記載の無線電力伝送システム。
【請求項１１】
前記第２領域の面積、前記第３領域の面積、前記第４領域の面積及び前記第５領域の面積の合計が実質的に、前記第１領域の面積と等しい、請求項１０に記載の無線電力伝送システム。
【請求項１２】
前記補助磁場が、前記ソース共振器コイルにおいて電流を誘導し、
前記ソース共振器コイルの前記電流が、前記補助磁場よりも強い磁場を生成する、請求項７に記載の無線電力伝送システム。
【請求項１３】
前記少なくとも１つの補助コイルが、第１回路基板に巻き付く導体巻線の第１部分と、第２回路基板に巻き付く導体巻線の第２部分とを含み、
前記第１回路基板と前記第２回路基板との間に配置されたコネクタが、前記導体巻線の前記第１部分と前記導体巻線の前記第２部分との間の電気的接続をもたらす、請求項７に記載の無線電力伝送システム。
【請求項１４】
前記第１周波数の前記ソース磁場の位相が、前記第２周波数の前記補助磁場の位相から３０％以上異なる、請求項１に記載の無線電力伝送システム。
【請求項１５】
前記ソース共振器コイルは、１つ以上の導電性トレースの第１のセットを含み、
前記補助コイルは、１つ以上の導電性トレースの第２のセットを含む、請求項７に記載の無線電力伝送システム。
【請求項１６】
前記１つ以上の導電性トレースの第２のセットが、前記１つ以上の導電性トレースの第１のセット上に均等に分布し、前記補助磁場が前記ソース磁場に対して類似する形状を有する、請求項１５に記載の無線電力伝送システム。
【請求項１７】
前記少なくとも１つの補助コイルの巻線の少なくとも一部が、前記ソース共振器コイルの巻線の少なくとも一部の上で均等に分布し、前記補助磁場が前記ソース磁場に対して類似する形状を有する、請求項７に記載の無線電力伝送システム。
【請求項１８】
前記少なくとも１つの増幅器と、前記少なくとも１つの補助コイルとの間を電気的に接続するスイッチを更に備える、請求項２に記載の無線電力伝送システム。
【請求項１９】
前記少なくとも１つの検出器は、導電材料から成る１以上のループを含む、請求項１に記載の無線電力伝送システム。
【請求項２０】
無線電力伝送システム周囲の異物デブリを検出する装置であり、前記装置は、
導電材料からなる１つ以上のループをそれぞれ含む複数の検出器と、
それぞれの検出器の電圧及び電流の少なくとも一方を測定するように構成されるとともに、この測定に基づいて前記無線電力伝送システム周囲に異物デブリが存在するか判定するように構成されるコントローラと、
を備え、
前記複数の検出器の１つ以上は第１の共通の軸の周りに配置される前記導電材料から成る第１の巻数の同心ループを含み、
前記複数の検出器の１つ以上は第２の共通の軸の周りに配置される前記導電材料から成る第２の巻数の同心ループを含み、
前記第２の巻数は前記第１の巻数よりも大きい、異物デブリを検出する装置。
【請求項２１】
前記複数の検出器の１つ以上は巻数が１のループを含み、前記複数の検出器の１つ以上は巻数が２のループを含む、請求項２０に記載の装置。
【請求項２２】
前記複数の検出器の１つ以上は巻数が３のループを含む、請求項２０に記載の装置。
【請求項２３】
動作中、無線電力源が生成する磁束が前記複数の検出器を通過するように、前記装置が配置され、
前記第２の巻数のループを含む検出器が配置された領域における磁束よりも磁束が大きくなる領域に、前記第１の巻数のループを含む検出器が配置される、請求項２０に記載の装置。
【請求項２４】
前記複数の検出器がアレイを形成する、請求項２０に記載の装置。
【請求項２５】
前記アレイにおいて、隣接する検出器の少なくとも一部の間の間隔が相違する、請求項２４に記載の装置。
【請求項２６】
前記アレイの少なくとも一部の検出器の断面積が、前記アレイの他の少なくとも一部の検出器の断面積と異なる、請求項２４に記載の装置。
【請求項２７】
振動磁界を生成するように構成されるソース共振器と、
請求項２０に記載の装置とを備える、無線電力源であり、
前記装置のコントローラは、前記ソース共振器に接続され、
前記無線電力源の動作中、前記コントローラが前記測定に基づいて前記無線電力源の電力出力を制御するように前記装置が構成される、無線電力源。
【請求項２８】
前記ソース共振器は幾何学的中心を有する平面コイルを備える、請求項２７に記載の無線電力源。
【請求項２９】
前記無線電力源の動作中、前記無線電力源の周りに異物デブリが存在しないときに、前記検出器が測定する電圧及び電流の少なくとも一方の最大値が、前記検出器が測定する電圧及び電流の少なくとも一方の最小値の２倍未満である、請求項２７に記載の無線電力源。
【請求項３０】
無線電力伝送システム周囲の異物デブリを検出する方法であり、前記方法は、
複数の検出器のそれぞれの電圧及び電流の少なくとも一方を測定するステップと、
前記測定に基づいて前記無線電力伝送システム周囲に異物デブリが存在するか判定するステップと、
を含み、
前記検出器はそれぞれ、導電材料からなる１つ以上のループを含み、
前記複数の検出器の少なくとも一部は第１の共通の軸の周りに配置される前記導電材料から成る第１の巻数の同心ループを含み、
前記複数の検出器の少なくとも一部は第２の共通の軸の周りに配置される前記導電材料から成る第２の巻数の同心ループを含み、
前記第２の巻数は前記第１の巻数よりも大きい、異物デブリを検出する方法。
【請求項３１】
無線電力源が生成する磁束が前記複数の検出器を通過するとともに、前記第２の巻数のループを含む検出器が配置された領域における磁束よりも磁束が大きくなる領域に、前記第１の巻数のループを含む検出器が配置されるように、前記複数の検出器を配置するステップを更に含む、請求項３０に記載の方法。
【請求項３２】
無線電力源の周りに異物デブリが存在しないときに、前記検出器が測定する電圧及び電流の少なくとも一方の最大値が、前記検出器が測定する電圧及び電流の少なくとも一方の最小値の２倍未満であるように、前記複数の検出器を配置するステップを更に含む、請求項３１に記載の方法。
【請求項３３】
前記測定に基づいて、前記無線電力源の電力出力を制御するステップを更に含む、請求項３１に記載の方法。